(57)【特許請求の範囲】
【請求項１】
遊技盤上に遊技球を発射して遊技を行う遊技機であって、
上記遊技盤の盤面に沿って設けられ、前方からの光を反射させるための第１反射部材と、
上記第１反射部材に対して手前側に所定間隔をあけて対向する板状部材であって、後方からの光の一部を反射させ、一部を透過させるハーフミラーとを含み、
上記第１反射部材とハーフミラーとにより区画された空間は、遊技球を通過させるための球通路を構成することを特徴とする遊技機。
【請求項２】
上記遊技盤の裏側に設けられ、上記球通路に対して交叉するように、上記ハーフミラーに向かって光を照射する第１発光手段をさらに含むことを特徴とする請求項１記載の遊技機。
【請求項３】
上記第１反射部材とハーフミラーとの間に設けられ、上記遊技盤の盤面に対してほぼ平行に上記球通路内を照らす第２発光手段をさらに含むことを特徴とする請求項１または２記載の遊技機。
【請求項４】
上記遊技盤の盤面に対してほぼ直交するように設けられ、上記第２発光手段から照射された光を反射するための第２反射部材をさらに含むことを特徴とする請求項３記載の遊技機。
【請求項５】
上記球通路には、当該球通路内を通過する遊技球を衝突させて、遊技球の流れに変化を与えるための障害部材が設けられていることを特徴とする請求項１〜４のいずれかに記載の遊技機。
【請求項６】
発射された遊技球を上記遊技盤の左側上部に導いて、上方に放つためのガイドレールをさらに含み、
上記球通路は、上記遊技盤の右側に配置されていることを特徴とする請求項１〜５のいずれかに記載の遊技機。
【発明の詳細な説明】
【０００１】
【発明の属する技術分野】
本発明は、パチンコ機やスマートボール機などの遊技機に関する。
【０００２】
【従来の技術および発明が解決しようとする課題】
通常、パチンコ機などの遊技機の遊技盤には、遊技盤の盤面に沿って落下する遊技球の流れに影響を与えるための障害釘や風車などが配設されている。
しかしながら、障害釘や風車により遊技球の流れをランダムにすることはできるものの、視覚的に面白みがなかった。
また、通常の遊技機には、遊技の雰囲気を盛り上げるための複数のＬＥＤ素子などの装飾ランプが配設されている。
【０００３】
装飾ランプを多く配設すれば、遊技の雰囲気をより盛り上げることができる一方、遊技機の製造コストが高くなるという問題があった。
本発明は、かかる背景のもとでなされたもので、遊技盤上を落下する遊技球に関連して、視覚的に面白みのある遊技機を提供することを目的とする。
本発明の他の目的は、低コストで遊技の雰囲気をより盛り上げることができる遊技機を提供することである。
【０００４】
【課題を解決するための手段および発明の効果】
上記目的を達成するための請求項１記載の発明は、遊技盤上に遊技球を発射して遊技を行う遊技機であって、上記遊技盤の盤面に沿って設けられ、前方からの光を反射させるための第１反射部材と、上記第１反射部材に対して手前側に所定間隔をあけて対向する板状部材であって、後方からの光の一部を反射させ、一部を透過させるハーフミラーとを含み、上記第１反射部材とハーフミラーとにより区画された空間は、遊技球を通過させるための球通路を構成することを特徴とする遊技機である。
【０００５】
遊技盤には、多数本の障害釘が配設されており、遊技盤上に発射された遊技球は、遊技盤の盤面に沿って多数本の障害釘の間を通って下方へと落下していく。遊技球が落下していく過程で始動口に入ると、大当たり抽選が行われ、その抽選結果が大当たりであれば、大当たり遊技に突入する。
本発明の構成によれば、球通路内を通過する遊技球を、遊技盤の盤面に垂直な方向に対して交叉方向に見た場合、ハーフミラーを透して直接見える像だけでなく、第１反射部材に映し出された像、この像がハーフミラーにより反射されて再び第１反射部材に映し出された像、さらにこの像がハーフミラーにより反射されて第１反射部材に映し出された像というふうに、複数の像をハーフミラーを透して見ることができる。これにより、球通路内を通過する遊技球が数珠状に連なったように見えるので、視覚的に面白みのある遊技機を提供することができる。
【０００６】
また、球通路内を通過する遊技球は、ハーフミラーを透して見るため見えにくい。遊技者は見えにくい遊技球の動きに注目することとなるので、球通路内を通過する遊技球の動きに遊技者の注目を集めることができる。特に、遊技球の残像が見えるので、遊技球の動きに予想がつきにくく、遊技球の動きにより遊技者の注目を集めることができる。
請求項２記載の発明は、上記遊技盤の裏側に設けられ、上記球通路に対して交叉するように、上記ハーフミラーに向かって光を照射する第１発光手段をさらに含むことを特徴とする請求項１記載の遊技機である。
【０００７】
この構成によれば、第１発光手段からハーフミラーに向かって照射された光は、ハーフミラーを透して直接見える光だけでなく、この光がハーフミラーに反射して再び第１反射部材に反射した光、さらにこの光がハーフミラーに反射して第１反射部材に反射した光というふうに、複数の光をハーフミラーを透して見ることができる。これにより、第１発光手段から照射された光が数珠状に連なったように見えるので、視覚的に面白みのある遊技機を提供することができると共に、少ない数の第１発光手段により複数種の光を照射できるので、低コストで遊技の雰囲気をより盛り上げることができる。
【０００８】
また、ハーフミラーを透して見るため見えにくかった遊技球を、第１発光手段の働きにより、鮮明に見えるようにすることができる。これにより、遊技球の動きに注目してなかった遊技者の注目も集めることができる。
上記ハーフミラーには、絵柄などが描かれた装飾シートが貼り付けられていてもよい。これにより、第１発光手段を発光させたときに、装飾シートに描かれた絵柄などを浮かび上がらせることができるので、視覚的により面白みのある遊技機を提供することができる。
【０００９】
上記第１発光手段は、遊技中常に発光するものであってもよいし、大当たり遊技時に発光するものであってもよい。
請求項３記載の発明は、上記第１反射部材とハーフミラーとの間に設けられ、上記遊技盤の盤面に対してほぼ平行に上記球通路内を照らす第２発光手段をさらに含むことを特徴とする請求項１または２記載の遊技機である。
この構成によれば、第２発光手段から照射された光により、球通路内を通過する遊技球を明るく照らし出すことができる。これにより、球通路内を通過する遊技球が数珠状に連なったように見えるのを、より鮮明にすることができる。
【００１０】
請求項４記載の発明は、上記遊技盤の盤面に対してほぼ直交するように設けられ、上記第２発光手段から照射された光を反射するための第２反射部材をさらに含むことを特徴とする請求項３記載の遊技機である。
この構成によれば、第２発光手段から照射された光を第２反射部材で反射することにより、球通路内を通過する遊技球を、少ない数の第２発光手段で明るく照らし出すことができる。したがって、低コストで遊技の雰囲気をより盛り上げることができる。
【００１１】
上記第２発光手段は、大当たり遊技時に発光するものであってもよいし、遊技中常に発光するものであってもよい。
請求項５記載の発明は、上記球通路には、当該球通路内を通過する遊技球を衝突させて、遊技球の流れに変化を与えるための障害部材が設けられていることを特徴とする請求項１〜４のいずれかに記載の遊技機である。
この構成によれば、障害部材の働きにより、球通路内を通過する遊技球の流れに変化を与えることができるので、視覚的により面白みのある遊技機を提供することができる。
【００１２】
上記障害部材は、金属製のものであってもよいし、樹脂により一体的に形成されたものであってもよい。
また、上記障害部材は、棒状の障害釘であってもよいし、板状のものであってもよい。
請求項６記載の発明は、発射された遊技球を上記遊技盤の左側上部に導いて、上方に放つためのガイドレールをさらに含み、上記球通路は、上記遊技盤の右側に配置されていることを特徴とする請求項１〜５のいずれかに記載の遊技機である。
【００１３】
ガイドレールに沿って遊技盤の左側上部から上方に放たれた遊技球のほとんどは、遊技盤の左側を通って下方に落下していく。通常、遊技盤の右側を通って下方に落下していく遊技球は始動口に入りにくいので、遊技者の注目は遊技盤の左側を通って落下していく遊技球に集まる。
本発明の構成によれば、遊技盤の右側に球通路を設けることにより、遊技盤の右側を通って下方に落下していく遊技球にも遊技者の注目を集めることができる。
【００１４】
【発明の実施の形態】
以下には、図面を参照して、本発明の実施形態に係るパチンコ機１について具体的に説明する。
本発明の一実施形態としてパチンコ機１について説明するが。本発明はパチンコ機に限らず、スマートボール機などの遊技機にも適用することができる。
図１は、本発明の一実施形態に係るパチンコ機１の外観構成を示す正面図である。パチンコ機１は、ベース枠２に開閉自在に取り付けられた正面扉３を有している。正面扉３には、その上部を開口する略円形の窓４が形成されている。窓４には例えばガラス板などの透明板が嵌め込まれており、この透明板を介して、その奥側に設けられた遊技盤５を視認できるようになっている。
【００１５】
正面扉３には、パチンコ機１における遊技の雰囲気を盛り上げるための複数のランプＬが配置されている。
また、正面扉３の下部には、遊技球を貯留するための球受容器６が配置されている。球受容器６に貯留された遊技球は、パチンコ機１の内部に設けられた発射装置７に１球ずつ供給されるようになっている。
遊技盤５の周縁には、発射装置７から発射された遊技球を遊技盤５の左側上部に導くための略円弧状のガイドレール８が配置されている。遊技者が球受容器６の右側に設けられたハンドル９を操作することにより、発射装置７から遊技球が発射され、発射された遊技球はガイドレール８に沿って遊技盤５の左側上部へと導かれる。遊技盤５には、多数本の障害釘（図示せず）が配設されており、ガイドレール８に沿って遊技盤５の左側上部から上方に放たれた遊技球は、遊技盤５の盤面に沿って多数本の障害釘の間を通って下方へと落下していく。
【００１６】
遊技盤５のほぼ中央には、メイン表示器１０が配置されている。メイン表示器１０は、例えば回転可能に保持された２つの回転ドラム１０Ｌ、１０Ｒと、２つの回転ドラム１０Ｌ、１０Ｒの間に配設された１つのドット表示器１０Ｃとを含む。各表示器１０Ｌ、１０Ｃ、１０Ｒは例えば１桁の数字を変動表示可能であって、メイン表示器１０は、３つの表示器１０Ｌ〜１０Ｒにより、３桁の数字の組み合わせを表示可能である。
【００１７】
メイン表示器１０の下方には、遊技球が入球可能な始動口１１および役物始動口１２が配置されている。役物始動口１２に関連して電動チューリップ役物１３が設けられている。通常時は、役物始動口１２に遊技球が入りにくくなるようになっている。すなわち、通常時には、電動チューリップ役物１３の羽根１３１、１３２が互いに近接して窄められ、羽根１３１、１３２の先端が始動口１１との間に所定の隙間をあけて近接した状態になっている。そして、メイン表示器１０の左側に配置された通過ゲート１４を遊技球が通過したことに応答して、メイン表示器１０の上方に配置されたミニデジタル表示器１５の表示が変動し、その後所定時間が経過して、ミニデジタル表示器１５に予め定める数字が表示されると、電動チューリップ役物１３の羽根１３１、１３２が所定時間だけ両側に大きく開かれて、役物始動口１２に遊技球を入れることができる。
【００１８】
始動口１１または役物始動口１２に遊技球が入ると、予め定める個数の賞球（遊技球）が遊技者に付与されると共に、遊技者が大当たり遊技を実行できるか否かを決定するための大当たり抽選が行われる。
大当たり抽選の抽選結果は、メイン表示器１０に表示される。各表示器１０Ｌ〜１０Ｒの表示は、始動口１１または役物始動口１２に遊技球が入るのに応答して変動を開始し、所定時間が経過した後、表示器１０Ｌ、１０Ｒ、１０Ｃの順に停止されていく。大当たり抽選の抽選結果は、全ての表示器１０Ｌ〜１０Ｒの表示が停止したときに各表示器１０Ｌ〜１０Ｒに表示されている数字の組み合わせによって表示される。
【００１９】
役物始動口１２の下方には、例えば左右に長い長方形状に形成され、複数個の遊技球が同時に入球可能な大入賞口１６が配置されている。この大入賞口１６に関連して、大入賞口１６に遊技球を案内する開状態および大入賞口１６に遊技球が入るのを阻止する閉状態に開閉可能な開閉板１７が設けられている。すなわち、開閉板１７は、遊技盤５の盤面に沿った状態で大入賞口１６を閉塞して、大入賞口１６に遊技球が入るのを阻止することができ、また、この状態から、大入賞口１６の下端縁に沿って配置された回動軸（図示せず）を中心に手前側に倒伏することにより、大入賞口１６を開放して、大入賞口１６上に落下してくる遊技球を大入賞口１６内に導き入れることができる。
【００２０】
大入賞口１６への遊技球の入球に対しては、予め定める個数の遊技球が、図示しない賞球払出装置により賞球として球受容器６に払い出されるようになっている。大当たり遊技に突入すると、開閉板１７が開状態となり、遊技者は多数個の賞球を獲得することができる。
遊技盤５の上部には、遊技球の流れに影響を与えるための風車１８が、左右両側に２つずつ（計４つ）配置されている。また、遊技盤５の下部には、遊技球の入球に対して単に賞球が付与される普通入賞口１９が、左右両側に２つずつ（計４つ）配置されている。始動口１１、役物始動口１２および普通入賞口１９に入らなかった遊技球（アウト球）は、遊技盤５の下部に形成されたアウト球回収口２０から機内に回収される。
【００２１】
遊技盤５には、そのほぼ中央から右側下部にかけて、球通路部材２１が配設されている。球通路部材２１は、遊技盤５の右側を落下する遊技球を導くためのものであって、その内部が球通路を構成している。球通路部材２１は、遊技盤５のほぼ中央に配置された上通路部材２２と、上通路部材２２の右側に連設され、遊技盤５の右側下部を円弧状に延びる下通路部材２３とを含む。
図２は、球通路部材２１の構成を示す正面図であって、内部構成を説明するために一部断面図で示している。
【００２２】
図１および図２を参照して、上通路部材２２の中央部には、略楕円形の大窓２４が形成されており、上通路部材２２を遊技盤５に取り付けたときに、遊技盤５に取り付けられたメイン表示器１０を大窓２４を介して視認できるようになっている。上通路部材２２の右側には、大窓２４よりも小さい略楕円形の小窓２５が形成されており、上通路部材２２を遊技盤５に取り付けたときに、遊技盤５の右側上部に取り付けられた風車１８を小窓２５内に通すことができるようになっている。
【００２３】
下通路部材２３には、遊技盤５の右側に配置される２つの普通入賞口１９と、遊技盤５の左側下部に配置される１つの普通入賞口１９とが取り付けられている。また、下通路部材２３には、大入賞口１６に対向する位置に略長方形状の矩形窓２６が形成されており、開閉板１７は、この矩形窓２６内を通って開閉可能となっている。
上通路部材２２および下通路部材２３の内部には、多数本の障害釘２７が配置されている。上通路部材２２の上縁から上通路部材２２内に入った遊技球は、多数本の障害釘２７の間を通って、下通路部材２３内に導かれる。下通路部材２３の内側板２８には、遊技盤５の右側に配置される２つの普通入賞口１９の上方に、それぞれ開口２９が形成されている。
【００２４】
下通路部材２３内を落下してきた遊技球Ｂは、図２に示すように、障害釘２７に当って開口２９から下通路部材２３の外部に飛び出す場合もあれば、そのまま下通路部材２３内を通ってアウト球回収口２０へと導かれる場合もある。障害釘２７の働きにより、球通路部材２１内を通過する遊技球Ｂの流れに変化を与えることができるので、視覚的により面白みのあるパチンコ機１を提供することができる。
【００２５】
各障害釘２７は、金属製のものであってもよいし、樹脂により一体的に形成されたものであってもよい。
また、障害部材は、棒状の障害釘２７に限らず、例えば板状のものであってもよい。
図３は、遊技盤５および球通路部材２１の一部断面図である。また、図４は、球通路部材２１内を遊技球が落下する様子を示す正面図である。
【００２６】
図３を参照して、球通路部材２１は、遊技盤５の盤面に取り付けられる後板（第１反射部材）３０と、後板３０から所定間隔（遊技球が通過できる程度の間隔）をあけて対向する前板３１とを含む。後板３０および前板３１により区画された空間は、球通路３２を構成している。
後板３０は、例えばプラスチック板にクロムメッキを蒸着して形成されたミラーメッキにより構成されており、前方からの光を反射させる。一方、前板３１は例えば透明板に金属膜をコーティングして形成されたハーフミラーにより形成されており、後方からの光の一部を反射させ、残りの一部を透過させる。後板３１は、ミラーメッキに限らず鏡などにより構成されていてもよい。また、ハーフミラーは、例えば液晶を用いて、印加する電流量に応じて反射率が変化するようなものであってもよい。
【００２７】
球通路３２内を落下する遊技球Ｂを、遊技盤５の盤面に垂直な方向Ａに対して交叉方向に見た場合、前板３１を透して直接見える像３３Ａだけでなく、後板３０に映し出された像３３Ｂ、この像３３Ｂが前板３１により反射されて再び後板３０に映し出された像３３Ｃ、さらにこの像３３Ｃが前板３１により反射されて後板３０に映し出された像３３Ｄというふうに、複数の像３３Ａ〜３３Ｄを前板３１を透して見ることができる。これにより、図４に示すように、球通路３２内を落下する遊技球Ｂが数珠状に連なったように見えるので、視覚的に面白みのあるパチンコ機１を提供することができる。
【００２８】
また、球通路３２内を通過する遊技球Ｂは、前板３１を透して見るため見えにくい。遊技者は見えにくい遊技球Ｂの動きに注目することとなるので、球通路３２内を通過する遊技球Ｂの動きに遊技者の注目を集めることができる。特に、遊技球Ｂの残像が見えるので、遊技球Ｂの動きに予想がつきにくく、遊技球Ｂの動きにより遊技者の注目を集めることができる。
球通路部材２１の内側には、複数のＬＥＤ素子（第１発光手段）３４が配設されている（図１参照）。これらのＬＥＤ素子３４は、点滅あるいは点灯することによりパチンコ機１における遊技の雰囲気を盛り上げるためのものであって、遊技中常に発光するものであってもよいし、例えば大当たり遊技時などに発光するものであってもよい。
【００２９】
図５は、遊技盤５および球通路部材２１の要部断面図である。また、図６は、複数のＬＥＤ素子３４を発光させた状態の球通路部材２１を示す正面図である。
図５を参照して、複数のＬＥＤ素子３４は、パチンコ機１の内部に設けられた制御部（図示せず）に接続された基板３５に取り付けられている。遊技盤５には、基板３５が配置される位置が開口されて、基板収容部３６が形成されている。基板３５は、この基板収容部３６内に、遊技盤５の盤面に対してほぼ平行になるように配置される。
【００３０】
球通路部材２１の後板３０には、各ＬＥＤ素子３４に対向する位置に開口３７が形成されている。各ＬＥＤ素子３４は、基板３５に垂直な方向に対して所定角度だけ傾いて取り付けられており、各ＬＥＤ素子３４から開口３７を介して照射された光は、前板３１を透して直接見える光３８Ａだけでなく、この光３８Ａが前板３１に反射して再び後板３０に反射した光３８Ｂ、さらにこの光３８Ｂが前板３１に反射して後板３０に反射した光３８Ｃ、さらにこの光３８Ｃが前板３１に反射して後板３０に反射した光３８Ｄというふうに、複数の光３８Ａ〜３８Ｄを前板３１を透して見ることができる。
【００３１】
各ＬＥＤ素子３４を基板３５に取り付ける角度を調節することにより、図６に示すように、複数のＬＥＤ素子３４から照射された光が、様々な方向に数珠状に連なったように見える。これにより、視覚的に面白みのあるパチンコ機１を提供することができると共に、少ない数のＬＥＤ素子３４により複数種の光を照射できるので、低コストで遊技の雰囲気をより盛り上げることができる。
また、前板３１を透して見るため見えにくかった遊技球を、複数のＬＥＤ素子３４の働きにより、鮮明に見えるようにすることができる。これにより、遊技球の動きに注目してなかった遊技者の注目も集めることができる。
【００３２】
複数のＬＥＤ素子３４の発光色は、全て同じ色であってもよいし、それぞれ異なる色（例えば赤色、青色、緑色、水色、黄色など）であってもよい。また、複数のＬＥＤ素子３４は、それぞれ複数色（例えば赤色、青色、緑色およびそれらの組み合わせ）を発光可能なものであってもよい。ＬＥＤ素子３４は、チップＬＥＤにより構成されていてもよい。
後板３０および前板３１は、平板に限らず、例えば波形状に形成されていてもよい。この場合、球通路３２内を落下する遊技球や、複数のＬＥＤ素子３４から照射された光が波打っているように見えるので、視覚的により面白みのあるパチンコ機１を提供することができる。
【００３３】
前板３１には、例えば絵柄などが描かれた装飾シートが貼り付けられていてもよい。これにより、複数のＬＥＤ素子３４を発光させたときに、装飾シートに描かれた絵柄などを浮かび上がらせることができるので、視覚的により面白みのあるパチンコ機１を提供することができる。
図７は、パチンコ機１の要部拡大正面図であって、内部構成を説明するために一部断面図で示している。
【００３４】
正面扉３の裏側には、球通路部材２１の右側に、複数のＬＥＤ素子（第２発光手段）３９が配設されている。これらのＬＥＤ素子３９は、ＬＥＤ素子３４と同様、点滅あるいは点灯することによりパチンコ機１における遊技の雰囲気を盛り上げるためのものであって、遊技中常に発光するものであってもよいし、例えば大当たり遊技時などに発光するものであってもよい。
複数のＬＥＤ素子３９は、パチンコ機１の内部に設けられた制御部（図示せず）に接続された複数の基板４０に、例えば３個ずつ取り付けられている。各ＬＥＤ素子３９は、遊技盤５の盤面に対して平行に取り付けられており、遊技盤５の盤面に対してほぼ平行に光を照射するようになっている。ただし、各ＬＥＤ素子３９は、遊技盤５の盤面に対して平行ではなく、遊技盤５の盤面に対して所定角度だけ傾けて取り付けられていてもよい。
【００３５】
球通路部材２１の外側板４１には、例えば各ＬＥＤ素子３９に対向する位置に開口（図示せず）が形成されており、各ＬＥＤ素子３９から照射された光は、これらの開口を介して球通路部材２１内を照らすようになっている。
球通路部材２１の内側板２８の一部、および遊技盤５の右側に配置された２つの普通入賞口１９の側面１９Ａには、それぞれミラーメッキ（第２反射部材）４２が貼り付けられている。複数のＬＥＤ素子３９から照射された光がミラーメッキ４２に反射することにより、球通路部材２１の内部全体が明るく照らし出されるようになっている。これにより、球通路部材２１内を通過する遊技球が数珠状に連なったように見えるのを、より鮮明にすることができると共に、ミラーメッキ４２の働きにより、球通路部材２１内を通過する遊技球を少ない数のＬＥＤ素子３９で明るく照らし出すことができるので、低コストで遊技の雰囲気をより盛り上げることができる。
【００３６】
球通路部材２１の内側板２８の一部、および遊技盤５の右側に配置された２つの普通入賞口１９の側面１９Ａには、ミラーメッキ４２に限らず、鏡などが貼り付けられていてもよい。
また、ミラーメッキ４２や鏡などは、球通路部材２１の内側板２８の一部、および遊技盤５の右側に配置された２つの普通入賞口１９の側面１９Ａに限らず、例えば球通路部材２１の内側板２８全体に貼り付けられていてもよいし、球通路３２内に立設されていてもよい。
【００３７】
再び図１を参照して、ガイドレール８により遊技盤５の左側上部から上方に放たれた遊技球のほとんどは、遊技盤５の左側を通って下方に落下していく。通常、遊技盤５の右側を通って下方に落下していく遊技球は始動口１１に入りにくいので、遊技者の注目は遊技盤５の左側を通って落下していく遊技球に集まる。
本実施形態では、遊技盤５の右側に球通路部材２１を設けることにより、遊技盤５の右側を通って下方に落下していく遊技球にも遊技者の注目を集めることができる。
【００３８】
本発明は、以上の実施形態の内容に限定されるものではなく、請求項記載の範囲内において種々の変更が可能である。例えば、発光手段は、ＬＥＤ素子に限らず、電球などであってもよい。
球通路部材２１の後板３０および前板３１は、それぞれミラーメッキおよびハーフミラーにより構成されるものに限らず、例えば後板３０の前面にミラーメッキが貼り付けられ、透明な前板３１の後面にハーフミラーが貼り付けられることにより構成されていてもよい。
【００３９】
球通路部材２１は、遊技盤５の右側に限らず、左側に配置されていてもよいし、遊技盤５の盤面全体を覆うように設けられていてもよい。
【図面の簡単な説明】
【図１】本発明の一実施形態に係るパチンコ機の外観構成を示す正面図である。
【図２】球通路部材の構成を示す正面図である。
【図３】遊技盤および球通路部材の一部断面図である。
【図４】球通路部材内を遊技球が落下する様子を示す正面図である。
【図５】遊技盤および球通路部材の要部断面図である。
【図６】複数のＬＥＤ素子を発光させた状態の球通路部材を示す正面図である。
【図７】パチンコ機の要部拡大正面図である。
【符号の説明】
１    パチンコ機
５    遊技盤
８    ガイドレール
２７  障害釘
３０  後板（第１反射部材）
３１  前板（ハーフミラー）
３２  球通路
３４  ＬＥＤ素子（第１発光手段）
３９  ＬＥＤ素子（第２発光手段）
４２  ミラーメッキ（第２反射部材）
【図１】
0004607368.tif 000002
【図２】
0004607368.tif 000003
【図３】
0004607368.tif 000004
【図４】
0004607368.tif 000005
【図５】
0004607368.tif 000006
【図６】
0004607368.tif 000007
【図７】
0004607368.tif 000008